【手続補正書】
【提出日】平成17年12月2日(2005.12.2)
【手続補正１】
【補正対象書類名】特許請求の範囲
【補正対象項目名】全文
【補正方法】変更
【補正の内容】
【特許請求の範囲】
【請求項１】
パラメータ推定器であって、
識別コードの一つ以上のシフトバージョンと信号との間の相関を表す相関関数を決定する相関ロジックと、
前記相関関数を分析し、一つ以上の第１のピークが存在するかを判定し、存在する場合には、それらが第２のピークの一つ以上のサイドローブから識別可能であるかを判定し、一つ以上の第１のピークが存在し、前記第２のピークのサイドローブから識別可能である場合には、前記一つ以上の第１のピークに対応した信号に関連した一つ以上のパラメータを推定し、一つ以上の第１のピークが存在しないか、または存在するにしても、前記第２のピークのサイドローブから識別可能ではない場合には、前記第２のピークに対応した一つ以上のパラメータを推定する分析ロジックと
を備えたパラメータ推定器。
【請求項２】
前記第２のピークは最強のピークである請求項１に記載のパラメータ推定器。
【請求項３】
前記一つ以上の第１のピークは、もし存在するのであれば、前記最強のピークよりも早い時間に存在する請求項２に記載のパラメータ推定器。
【請求項４】
前記識別コードは、疑似ノイズコードである請求項１に記載のパラメータ推定器。
【請求項５】
前記相関関数に関する推測的な情報を使って、第１のピークを前記第２のピークのサイドローブから識別するように構成された請求項１に記載のパラメータ推定器。
【請求項６】
前記推測的な情報は、独立した到着を示す前記相関関数の成分パルスの形状、振幅、位相、またはこれらの任意の組み合わせに関連している請求項５に記載のパラメータ推定器。
【請求項７】
閾値を使って、第１のピークを前記第２のピークのサイドローブから識別するように構成された請求項１に記載のパラメータ推定器。
【請求項８】
前記閾値は、候補ピークの時間における独立した到着を示す前記相関関数の成分パルスの前記第１のピークの一つ以上のエネルギーと、前記第２のピークのエネルギーと、形状と、振幅と、位相と、これら任意の組み合わせと、前記第１及び第２のピーク間の時間差と、前記積算時間とに依存する変数である請求項７に記載のパラメータ推定器。
【請求項９】
前記閾値は、ノイズフロアに依存する請求項７に記載のパラメータ推定器。
【請求項１０】
前記ノイズフロアは、積算時間に依存する請求項９に記載のパラメータ推定器。
【請求項１１】
前記ノイズフロアは、誤警報確率を制限するために設定される請求項９に記載のパラメータ推定器。
【請求項１２】
前記閾値はまた、前記第２のピークのエネルギーと、前記第１のピークのエネルギーとの差に依存する請求項９に記載のパラメータ推定器。
【請求項１３】
前記閾値はまた、前記第２のピークのエネルギーに対する前記第１のピークのエネルギーの比に依存する請求項９に記載のパラメータ推定器。
【請求項１４】
前記閾値は、前記ノイズフロアの最大値と、前記第２のピークのエネルギーと予め定義した範囲との差とから導出されるようにした請求項９に記載のパラメータ推定器。
【請求項１５】
前記閾値は、前記ノイズフロアの最大値と、前記第２のピークのエネルギーの予め定めた割合とから導出されるようにした請求項９に記載のパラメータ推定器。
【請求項１６】
前記ノイズフロアはまた、前記第２のピークのエネルギーと前記第１のピークのエネルギーとの差に依存している請求項１０に記載のパラメータ推定器。
【請求項１７】
前記ノイズフロアはまた、前記第２のピークのエネルギーに対する前記第１のピークのエネルギーの比に依存する請求項１０に記載のパラメータ推定器。
【請求項１８】
複数の閾値を使って、第１のピークを前記第２のピークのサイドローブから識別するように構成された請求項１に記載のパラメータ推定器。
【請求項１９】
前記第１のピークのエネルギーが前記第２のピークのエネルギーの第１の予め定義した範囲内にある場合には第１の閾値が有効になり、前記第１のピークのエネルギーが前記第２のピークのエネルギーの第２の予め定義した範囲内にある場合には第２の閾値が有効になるようにした請求項１８に記載のパラメータ推定器。
【請求項２０】
前記第２の閾値は前記第１の閾値よりも厳しく、前記第２の予め定義した範囲は、前記第１の予め定義した範囲に関してより緩和されている請求項１９に記載のパラメータ推定器。
【請求項２１】
前記第２のピークのエネルギーに対する前記第１のピークのエネルギーの比が、第１の割合と等しいか、またはそれを超えている場合には、第１の閾値が有効になり、前記第２のピークのエネルギーに対する前記第１のピークのエネルギーの比が、第２の割合と等しいか、またはそれを超えている場合には、第２の閾値が有効になるようにした請求項１８に記載のパラメータ推定器。
【請求項２２】
前記第２の閾値は、前記第１の閾値よりも厳しく、前記第２の割合は、前記第１の割合よりも小さい請求項２１に記載のパラメータ推定器。
【請求項２３】
パラメータ推定器であって、
識別コードの一つ以上のシフトバージョンと信号との間の相関を表す相関関数を決定する相関手段と、
前記相関関数を分析し、一つ以上の第１のピークが存在するかを判定し、存在する場合には、それらが第２のピークの一つ以上のサイドローブから識別可能であるかを判定し、一つ以上の第１のピークが存在し、前記第２のピークのサイドローブから識別可能である場合には、前記一つ以上の第１のピークに対応した信号に関連した一つ以上のパラメータを推定し、一つ以上の第１のピークが存在しないか、または存在するにしても、前記第２のピークのサイドローブから識別可能ではない場合には、前記第２のピークに対応した一つ以上のパラメータを推定する分析手段と
を備えたパラメータ推定器。
【請求項２４】
信号の一つ以上のパラメータを推定する方法であって、
識別コードの一つ以上のシフトバージョンと信号との間の相関を表す相関関数を決定することと、
一つ以上の第１のピークが存在するかを判定し、存在する場合には、それらが第２のピークの一つ以上のサイドローブから識別可能であるかを判定するために前記相関関数を分析することと、
一つ以上の第１のピークが存在し、前記第２のピークのサイドローブから識別可能である場合には、前記一つ以上の第１のピークに対応した信号に関連した一つ以上のパラメータを推定することと、
一つ以上の第１のピークが存在しないか、または存在するにしても、前記第２のピークのサイドローブから識別可能ではない場合には、前記第２のピークに対応した一つ以上のパラメータを推定することと
を備えた方法。
【請求項２５】
前記信号はパイロット信号である請求項２４に記載の方法。
【請求項２６】
前記識別コードは、疑似ノイズコードである請求項２４に記載の方法。
【請求項２７】
前記第２のピークは、最強のピークである請求項２４に記載の方法。
【請求項２８】
前記一つ以上の第１のピークは、前記最強のピークよりも早い時間にある請求項２７に記載の方法。
【請求項２９】
前記信号に関連した前記一つ以上のパラメータは、到着時間パラメータを含む請求項２４に記載の方法。
【請求項３０】
前記信号に対する前記一つ以上のパラメータは、前記到着時間パラメータについての自乗平均平方根誤差を含む請求項２９に記載の方法。
【請求項３１】
前記信号に対する前記一つ以上のパラメータは、合計受信電力に対するチップ毎のエネルギーの比のパラメータを含む請求項２４に記載の方法。
【請求項３２】
請求項２４に記載の方法において更に、前記相関関数に関連した推測的な情報を使って、前記一つ以上の第１のピークが前記第２のピークから識別可能であるかを判定することを備えた方法。
【請求項３３】
前記推測的な情報は、独立した到着を示す前記相関関数の成分パルスの形状、振幅、位相、またはこれらの任意の組み合わせに関連している請求項３２に記載の方法。
【請求項３４】
請求項２４に記載の方法において更に、前記閾値を使って、前記一つ以上の第１のピークが前記第２のピークから識別可能であるかを判定することを備えた方法。
【請求項３５】
前記閾値は、前記第１のピークの時間における前記第２のピークに相当する前記相関関数の成分パルスの前記第２のピークの一つ以上のエネルギーと、前記第１のピークのエネルギーと、形状と、振幅と、位相と、これら任意の組み合わせと、前記第１及び第２のピーク間の時間差と、前記相関関数を導出するために用いられる前記積算時間とに依存する変数である請求項３４に記載の方法。
【請求項３６】
前記閾値は、ノイズフロアに依存する変数である請求項３４に記載の方法。
【請求項３７】
前記ノイズフロアは、前記積算時間に依存する請求項３６に記載の方法。
【請求項３８】
前記ノイズフロアは、誤警報確率を制限するために設定される請求項３６に記載の方法。
【請求項３９】
前記閾値はまた、前記第２のピークのエネルギーと、前記第１のピークのエネルギーとの差に依存する請求項３６に記載の方法。
【請求項４０】
前記閾値はまた、前記第２のピークのエネルギーに対する前記第１のピークのエネルギーの比に依存する請求項３６に記載の方法。
【請求項４１】
前記閾値は、前記ノイズフロアの最大値と、前記第２のピークのエネルギーの予め定めた割合とから導出されるようにした請求項３６に記載の方法。
【請求項４２】
前記ノイズフロアはまた、前記第２のピークのエネルギーと前記第１のピークのエネルギーとの差に依存している請求項３７に記載の方法。
【請求項４３】
前記ノイズフロアはまた、前記第２のピークのエネルギーに対する前記第１のピークのエネルギーの比に依存する請求項３７に記載の方法。
【請求項４４】
請求項２４に記載の方法において更に、複数の閾値を使って、一つ以上のピークを前記第２のピークのサイドローブから識別することを備えた方法。
【請求項４５】
前記第１のピークのエネルギーが前記第２のピークのエネルギーの第１の予め定義した範囲内にある場合には第１の閾値が有効になり、前記第１のピークのエネルギーが前記第２のピークのエネルギーの第２の予め定義した範囲内にある場合には第２の閾値が有効になるようにした請求項４４に記載の方法。
【請求項４６】
前記第２の閾値は前記第１の閾値よりも厳しく、前記第２の予め定義した範囲は、前記第１の予め定義した範囲に関してより緩和されている請求項４５に記載の方法。
【請求項４７】
前記第２のピークのエネルギーに対する第１のピークのエネルギーの比が、第１の割合と等しいか、またはそれを超えている場合には、第１の閾値が有効になり、前記第２のピークのエネルギーに対する第１のピークのエネルギーの比が、第２の割合と等しいか、またはそれを超えている場合には、第２の閾値が有効になるようにした請求項４４に記載の方法。
【請求項４８】
前記第２の閾値は、前記第１の閾値よりも厳しく、前記第２の割合は、前記第１の割合よりも小さい請求項４７に記載の方法。
【請求項４９】
前記閾値は、第１のピークの時間と、前記第２のピークの時間との差に依存する請求項３４に記載の方法。
【請求項５０】
信号の一つ以上のパラメータを推定する方法であって、
識別コードの一つ以上のシフトバージョンと信号との間の相関を表す相関関数を決定するステップと、
一つ以上の第１のピークが存在するかを判定し、存在する場合には、それらが第２のピークの一つ以上のサイドローブから識別可能であるかを判定するために前記相関関数を分析するステップと、
一つ以上の第１のピークが存在し、前記第２のピークのサイドローブから識別可能である場合には、前記一つ以上の第１のピークに対応した信号に関連した一つ以上のパラメータを推定するステップと、
一つ以上の第１のピークが存在しないか、または存在するにしても、前記第２のピークのサイドローブから識別可能ではない場合には、前記第２のピークに対応した一つ以上のパラメータを推定するステップと
を備えた方法。
【請求項５１】
加入者局内における請求項１または請求項２３に記載のパラメータ推定器。
【請求項５２】
移動局である請求項５１における加入者局。
【請求項５３】
プロセッサ読み取り可能な媒体に格納された一連の手順として実体的に具体化された請求項２４または請求項５０に記載の方法。
【請求項５４】
サーバに格納された一連の手順として実体的に具体化された請求項２４または請求項５０に記載の方法。
【請求項５５】
ロジックとして実体的に具体化された請求項２４または請求項５０に記載の方法。
【手続補正２】
【補正対象書類名】明細書
【補正対象項目名】０００３
【補正方法】変更
【補正の内容】
【０００３】
この受信機は、少なくとも４つの衛星からの送信を検出することによって、その位置を推定する。各検出された送信に対し、この受信機は、送信時間と到着時間との間の遅延（チップ、又はチップの小部分について）を推定するためにＰＮコードにおけるシフトを用いる。予め知られた送信速度が与えられると、この受信機は、受信機自身と衛星との間の距離を推定する。この推定された距離は、衛星の回りの球を定義する。この受信機は、各衛星の正確な軌道と位置とを知っており、これら軌道と位置とに対する更新を連続して取得する。この情報から、受信機は、４つの衛星の球が交差する地点からの位置（及び現在の時間）を判定することができる。
【手続補正３】
【補正対象書類名】明細書
【補正対象項目名】０００４
【補正方法】変更
【補正の内容】
【０００４】
ＦＣＣは、移動局を含むものに限定される訳ではない加入者局が、９１１番及びその他の緊急呼出に対する迅速な応答を促進するために、自分の位置を推定できるように指令した。この指令に呼応して、現在、ＧＰＳ衛星送信から自己の位置を推定する手段を加入者局に備えるための努力がなされている。更に、無線通信システムにおける基地局またはセクタは、ユニークなＰＮコードを用いて変調されたパイロット信号を送信するので、これら努力はまた、加入者局が、基地局またはセクタの多数から、あるいは基地局またはセクタと、ＧＰＳ衛星との組み合わせの送信から、位置を推定することを可能にすることを含んでいる。
【手続補正４】
【補正対象書類名】明細書
【補正対象項目名】０００５
【補正方法】変更
【補正の内容】
【０００５】
ＧＰＳ受信機における信号検出器は、予め定めたサーチウィンドウで定義された範囲内の衛星に対して、受信信号（一般的には、多数の衛星からの送信の混合からなる合成信号）に、ＰＮコードのシフトバージョンを乗じ、その後、更に、それぞれシフトＰＮしたコードについて、この乗算の結果を予め定めた積算時間にわたって積算し、受信信号とシフトしたＰＮコードとの間の相関関係の程度を示す値を得ることによって導出される相関関数のピークから、衛星の送信を検出することを試みる。そして、このピークが検出された場合には、この信号検出器は、このピークからの到着時間のような一つ以上のパラメータを推定する。
【手続補正５】
【補正対象書類名】明細書
【補正対象項目名】０００６
【補正方法】変更
【補正の内容】
【０００６】
しかしながら、このような検出器は、基地局（または基地局セクタ）からの到着時間のようなパラメータを推定する目的に対しては一般に効果的ではない。なぜなら、ＧＰＳ衛星からの送信とは違って、基地局またはセクタからの送信は、複数経路と、視線の欠如とによって、より厳しい歪みに直面しているからである。これらの歪みは一般に、基地局またはセクタからの多数の信号のバージョンを、検出器において発生させる。これは、振幅が変化する多数のピークを、信号の相関関数に順に導く。多くの場合において、視線送信に対応するピークは、複数経路到着を表す後のピークよりも弱い。したがって、基地局（または基地局セクタ）送信からの到着時間のようなパラメータを推定する検出器は、初期の弱く受信された複数経路を検出することにより特化する必要がある。同時に、ＣＤＭＡ信号から導出された相関関数は一般に、ＧＰＳ信号とともに経験したものよりもはるかに大きいメインピークのサイドローブを持つ。初期に受信されたピークであるこれらサイドローブの検出は、位置精度の甚大な低下をもたらす。ＧＰＳ検出器は、一般にメインピークの大きなサイドローブとは関係ないので、最も初期のサイドローブではないピークを検出する能力を必要とする基地局またはセクタの送信からの到着時間のような特定のパラメータを正確に推定することは一般的に不可能である。
【手続補正６】
【補正対象書類名】明細書
【補正対象項目名】０００９
【補正方法】変更
【補正の内容】
【０００９】
また、本出願は、米国出願番号が採番される予定の各Qualcomm Dkt.番号010374（特許文献２），010375（特許文献３），010378（特許文献４）に関連している。なお、これらは、全て本譲受人によって共通して所有されている。これら出願は、あたかも完全に発表されたかのように、本願で完全に引用し援用している。
【手続補正７】
【補正対象書類名】明細書
【補正対象項目名】００１０
【補正方法】変更
【補正の内容】
【００１０】
本発明は、相関解析を通じて、信号の一つ以上のパラメータを推定するためのパラメータ推定器を提供する。このパラメータ推定器は、相関ロジックと分析ロジックとからなる。この相関ロジックは、識別コードのシフトバージョンと信号との間の相関を表す信号から、相関関数を導出するように構成されている。この分析ロジックは、一つ以上の第１のピークが存在するかを検出することと、もし存在するのであれば、前記一つ以上の第１のピークが、第２のピークの一つ以上のサイドローブと識別可能であるかを判定することとを含む相関関数の分析を行うように構成されている。この一つ以上の第１のピークが存在し、第２のピークのサイドローブと識別可能であると判定された場合には、分析ロジックは、一つ以上の第１のピークに対応した一つ以上のパラメータを推定するように構成されている。一つ以上の第１のピークが存在しないか、または存在するにしても、第２のピークのサイドローブと識別可能ではない場合には、この分析ロジックは、第２のピークに対答した一つ以上のパラメータを推定するように構成されている。この信号は、単独の信号であるか、または、複数の信号を含んでいる合成信号の一部である。第２のピークは、最も強い（すなわち、メインの）ピークであるかもしれない。そして、この一つ以上の第１のピークは、この最も強いピークよりも時間的に早い弱いピークでありうる。推定されるパラメータの一例は、これらに限定される訳ではないが、到着時間（ＴＯＡ）、ＴＯＡ推定値に対する自乗平均平方根誤差（ＲＭＳＥ：root mean squared error）、合計受信電力（Ｉ０）で除されたチップ毎のエネルギー（ＥＣ）等を含んでいる。
【手続補正８】
【補正対象書類名】明細書
【補正対象項目名】００１３
【補正方法】変更
【補正の内容】
【００１３】
一般に、この閾値Ｔは、第１のピークの時間ｔ１における独立した到着（第２のピークに集中されている）に対応した相関関数の成分パルスの第１のピークのエネルギーＥ１、第２のピークのエネルギーＥ２、予期された形状、振幅、または位相、あるいはこれらの任意の組み合わせｈ（ｔ１−ｔ２）、および積算時間Ｉのうちの一つ以上に依存した変数である。（ある実行例では、積算時間Ｉは、２つの成分、すなわち、コヒーレントな積算時間Ｎと、非コヒーレントに積算されたコヒーレントな積算の数Ｍとからなっている。）一つ以上のこれら変数に基づいて、閾値は、誤った警報確率を制限するように設定される。すなわち、第２のピークのサイドローブが第１のピークとして誤って報告される確率を、例えば０．１％あるいはそれ以下のように、予め定めたレベルに設定する。第１のピークのエネルギーＥ１が、この閾値に等しいか、あるいはそれを超える場合には、第１のピークは、第２のピークのサイドローブと識別可能であると考えられる。一例として、この条件は、以下の式のように表される。  
Ｅ１≧Ｔ（Ｅ１，Ｅ２，ｈ（ｔ１−ｔ２），Ｉ）
ある実行例では、積算時間Ｉに依存しているノイズフロアγが判定される。第１のピークのエネルギーＥ１が、第２のピークのエネルギーＥ２の予め定めた範囲Δ内であり、ノイズフロアと等しいか、またはそれを超える場合には、第１のピークは、第２のピークのサイドローブと識別可能であると考えられる。この実行例では、閾値Ｔは、以下のように表される。  
Ｔ＝ｍａｘ（Ｅ２−Δ，γ（Ｉ））。
【手続補正９】
【補正対象書類名】明細書
【補正対象項目名】００１４
【補正方法】変更
【補正の内容】
【００１４】
第２の実行例では、積算時間Ｉと、第２のピークのエネルギーＥ２と第１のピークのエネルギーＥ１との間の差（差の絶対値）とに依存しているノイズフロアγが判定される。この実行例におけるノイズフロアγはγ（Ｅ２−Ｅ１，Ｉ）か、γ（｜Ｅ２−Ｅ１｜，Ｉ）として表される。この実行例における閾値Ｔは、単にノイズフロアγである。
【手続補正１０】
【補正対象書類名】明細書
【補正対象項目名】００１５
【補正方法】変更
【補正の内容】
【００１５】
この実行例における一例では、第１のピークのエネルギーＥ１が、第２のピークのエネルギーＥ２の第１の範囲Δ１内、例えば６ｄＢである場合には、第１のノイズフロア／閾値が適用される。また、第１のピークのエネルギーＥ１が、第２のピークのエネルギーＥ２の第２の範囲Δ２内、例えば９ｄＢである場合には、第２のより厳しいノイズフロア／閾値が適用される。この例では、（１）第１のピークのエネルギーＥ１が、第１のノイズフロアに等しいか、それを超える場合であって、Ｅ２のΔ１以内である場合、または、（２）第１のピークのエネルギーＥ１が、第２のノイズフロアに等しいか、それを超える場合であって、Ｅ２のΔ２以内である場合には、第１のピークは、第２のピークのサイドローブと識別可能であると考えられる。この例は、二つのノイズフロアを超えるものを含む状況に容易に拡張されうる。
【手続補正１１】
【補正対象書類名】明細書
【補正対象項目名】００１７
【補正方法】変更
【補正の内容】
【００１７】
本発明はまた、信号の一つ以上のパラメータを推定する方法を提供する。この方法は、信号の相関関数を導出するステップで始まる。それは、その後、一つ以上の第１のピークが存在するかを判定し、もしも存在するものと判定した場合には、それらが第２のピークのサイドローブと識別可能であるかを判定することに進む。一つ以上の第１のピークが存在し、第２のピークのサイドローブと識別可能である場合には、この方法は、この一つ以上の第１のピークに対応した一つ以上のパラメータを推定することに進む。一つ以上の第１のピークが存在しないか、または、存在するにしても、第２のピークのサイドローブと識別可能ではない場合には、この方法は、第２のピークに対応した一つ以上のパラメータを推定することに進む。
【手続補正１２】
【補正対象書類名】明細書
【補正対象項目名】００１８
【補正方法】変更
【補正の内容】
【００１８】
ある実施例では、この方法は、この一つ以上の第１のピークが、第２のピークのサイドローブと識別可能であるかを判定するために閾値を適用する。この閾値は、上述したように、Ｅ１と、Ｅ２と、形状、位相、振幅、またはこれらの任意の組み合わせｈ（ｔ１−ｔ２）と、Ｉとのうちの少なくとも一つに依存した変数でありうる。
【手続補正１３】
【補正対象書類名】明細書
【補正対象項目名】００２０
【補正方法】変更
【補正の内容】
【００２０】
第２の実行例において、この方法は、積算時間Ｉと（Ｅ２−Ｅ１）（または、Ｅ２−Ｅ１の絶対値）の関数であるノイズフロアγを適用する。この実行例では、適用された閾値Ｔは、単にノイズフロアである。この実行例における一例では、この方法は、第１のピークのエネルギーＥ１が、第２のピークのエネルギーＥ２の第１の範囲Δ１内、例えば６ｄＢである場合には、第１のノイズフロア／閾値を適用する。また、第１のピークのエネルギーＥ１が、第２のピークのエネルギーＥ２の第２のより緩やかな範囲Δ２内、例えば９ｄＢである場合には、第２のより厳しいノイズフロア／閾値を適用する。この例は、二つのノイズフロアを超えるものを含む状況に容易に拡張されうる。
【手続補正１４】
【補正対象書類名】明細書
【補正対象項目名】００２２
【補正方法】変更
【補正の内容】
【００２２】
前述した実施例、実行例、および例では、エネルギーはｄＢで表示されるものと仮定されているが、本発明は、エネルギーが線形項で表示されている場合もカバーすると考えられるべきこと、およびこれら実施例、実行例、および例は、差を、比、または倍数で再表示することによって、線形的な場合にも容易に拡張されうることに留意されたい。
【手続補正１５】
【補正対象書類名】明細書
【補正対象項目名】００２３
【補正方法】変更
【補正の内容】
【００２３】
例えば、Ｔ＝ｍａｘ（Ｅ２−Δ，γ（Ｉ））なる式は、以下に示すように、線形な場合をカバーするように再公式化される。Ｔ＝ｍａｘ（Ｅ２（下付）●ｆ，γ（Ｉ））。なお、ここでｆは適切な割合、つまりパーセンテージである。同様にして、ノイズフロアγに対するγ（Ｅ２−Ｅ１，Ｉ）なる式は、γ（Ｅ２／Ｅ１，Ｉ）に示すように、線形な場合用に再公式化される。最後に、第１のピークのエネルギーＥ１が、第２のピークのエネルギーの第１の範囲Δ１、例えば６ｄＢである場合には、第１のノイズフロア／閾値が適用され、第１のピークのエネルギーＥ１が第２のピークのエネルギーＥ２のより緩慢な範囲Δ２、例えば９ｄＢである場合には第２のより厳しいノイズフロア／閾値が適用されるような例においては、第２のピークのエネルギーＥ２に対する第１のピークのエネルギーＥ１の比が、第１の割合、すなわちパーセンテージｆ１と等しいか、またはこれを超える場合には、第１のノイズフロア／閾値を使った項で再表示され、第２のピークのエネルギーＥ２に対する第１のピークのエネルギーＥ１の比が、第２の微少な割合、すなわちパーセンテージｆ２と等しいか、またはこれを超える場合には、第２のより厳しいノイズフロア／閾値を使った項で再表示される。
【手続補正１６】
【補正対象書類名】明細書
【補正対象項目名】００２６
【補正方法】変更
【補正の内容】
【００２６】
（アプリケーションの例）  
図１に示すように、本発明に従ったパラメータ推定器のアプリケーションの例が示されている。このアプリケーション例において、パラメータ推定器は、加入者局１００の位置を推定する目的で、加入者局１００内で使用される。加入者局１００は、これらに限定される訳ではないが、例えば携帯、固定無線式、ＰＣＳ、及び衛星による通信システムのような無線通信システムの構成要素である。さらに、この無線通信システムは、ＣＤＭＡ、ＴＤＭＡ、ＦＤＭＡ、又はＧＳＭ多元接続プロトコル、あるいはそれらの組み合わせにしたがった多元接続を備える。
【手続補正１７】
【補正対象書類名】明細書
【補正対象項目名】００２７
【補正方法】変更
【補正の内容】
【００２７】
基地局、すなわちセクタ１０２ａ，１０２ｂ，１０２ｃのうちの一つ以上が、無線通信システム内で使用される。各基地局、すなわちセクタ１０２ａ，１０２ｂ，１０２ｃは、基地局、すなわちセクタをユニークに識別する反復疑似ランダムノイズ（ＰＮ）コードで変調されたパイロット信号を送信する。ＩＳ−９５に従ったＣＤＭＡシステムの場合、26.67秒毎に繰り返されるＰＮコードは、３２，７６８チップのシーケンスである。
【手続補正１８】
【補正対象書類名】明細書
【補正対象項目名】００２９
【補正方法】変更
【補正の内容】
【００２９】
加入者局１００内のパラメータ推定器は、種々のパラメータ、すなわち、基地局であるセクタ１０２ａ，１０２ｂ，１０２ｃから送信されるパイロット信号、及び／又はＧＰＳ衛星１０６ａ，１０６ｂから送信される信号を推定するように構成されている。そのようなパラメータは、ＴＯＡ、送信時間、合計受信電力で除されたチップあたりのエネルギー（ＥＣ／Ｉ０）、ＴＯＡ推定値に関連した自乗平均平方根誤差（ＲＭＳＥ）等を含む。
【手続補正１９】
【補正対象書類名】明細書
【補正対象項目名】００３０
【補正方法】変更
【補正の内容】
【００３０】
一度推定されると、これらパラメータは、それに対応して加入者局１００の位置を推定するＰＤＥ１０４に提供される。（このＰＤＥ１０４は、インターネット又は他のＴＣＰ／ＩＰネットワークのような公衆コンピュータネットワークや、プライベートネットワーク、又はその他のネットワーク内のサーバである。）一旦推定されると、加入者局１００の位置がダウンロードされ、これによって、ダイヤル９１１又は他の緊急呼出の場合の加入者局１００からのものが有効になる。
【手続補正２０】
【補正対象書類名】明細書
【補正対象項目名】００３８
【補正方法】変更
【補正の内容】
【００３８】
第２の実施では、相関値Ｃは、すなわち、相情報を保持すること無く、それぞれがＮ個のチップに亘って実施されたＭ回の連続したコヒーレントな積算を組み合わせることによって非コヒーレントに導出される実数である。この実施では、この相関値Ｃは、以下に示すように式（２）を使って表現される。  
【数２】
2005508118.tif 000001
【手続補正２１】
【補正対象書類名】明細書
【補正対象項目名】００４２
【補正方法】変更
【補正の内容】
【００４２】
図５には、ＣＤＭＡ通信システムにおけるパイロット信号に対する相関関数Ｆ（ＰＮ，ｓ）の一例が示されている。ここでは、複数経路の効果が示されている。図中破線で示すように、弱く初期の時間に独立した到着の相関関数が、図中実線で示すように、強く独立した到着の相関関数に重ね合わされている。これら２つの相関関数を組み合わせると、複数経路の効果に直面した実世界合成信号から導出される相関関数が表される。この開示の目的のために、「独立した」到着とは、異なる発信元を通って目的地に到着する同一信号の複数のレンダリングのうちの一つと同様に、目的地に到着する異なる経路からの複数の信号のうちの一つを含んでいる。
【手続補正２２】
【補正対象書類名】明細書
【補正対象項目名】００４５
【補正方法】変更
【補正の内容】
【００４５】
従って、図５に示す例では、分析ロジック２１８は、パイロットの到着時間（ＴＯＡ）を推定するように構成されている。これは、パイロットについて、相関関数内の最も初期のサイドローブではないピークの位置を検出することを必要とする。この分析ロジックでは、まず、前述の技術を使って、第２のピークである最も強いピーク３０８を検出する。その後、分析ロジックは、ピーク３１２のようなあらゆる初期のピークが存在するかを判定する。そして、存在する場合には、ピーク３１２が、独立した到着を表しているか、又は、メインピーク３０８のサイドローブ３１８の一つであるかを判定する。前述の技術によれば、ピーク３１２は、第１のピークである。ピーク３１２が存在し、これがメインピーク３０８のサイドローブではなく独立した到着を表す場合には、分析ロジック２１８は、ピーク３１２の時間／位置に応じてパイロットの到着時間を決定する。ピーク３０８よりも早い段階に、メインピーク３０８のサイドローブではなく、独立した到着を表すピークが存在しない場合には、分析ロジック２１８は、メインピーク３０８の時間／位置に応じてパイロットの到着時間を推定する。
【手続補正２３】
【補正対象書類名】明細書
【補正対象項目名】００４７
【補正方法】変更
【補正の内容】
【００４７】
ある実施では、Ｒ個の相関器の各々は、それぞれ異なるシフト値に割り当てられており、同一のＰＮコードのシフトバージョンを使って動作する。このＲ個の相関器によって決定された相関値の集合は、相関関数Ｆ（ＰＮ，ｓ）を形成する。ウィンドウサイズＷが、相関器の数であるＲ以下の場合には、この相関関数Ｆ（ＰＮ，ｓ）は、パラメータ推定器を介して単一の経路を経ることによって決定することができる。一方、相関器の数Ｒが、ウィンドウサイズＷよりも小さい場合には、相関関数Ｆ（ＰＮ，ｓ）を決定するために、パラメータ推定器を介した一つ以上の追加の繰り返しが必要とされる。
【手続補正２４】
【補正対象書類名】明細書
【補正対象項目名】００５０
【補正方法】変更
【補正の内容】
【００５０】
ある実施では、プロセッサ２０４は、信号に対して、到着時間（ＴＯＡ）、ＴＯＡ推定値の自乗平均平方根誤差（ＲＭＳＥ）、および合計受信電力で除されたチップ毎のエネルギー（ＥＣ／Ｉ０）との推定を試みる。この試みが不成功の場合には、プロセッサ２０４は、別の積算時間を用いて、相関関数を再決定するようにＲ個の相関器２０２（１），２０２（２），・・，２０２（Ｒ）に指示する。この処理は、一つ以上のパラメータが相関関数から推定されるか、パラメータを推定することができないと判定されるまで、一度以上繰り返す。一つ以上のパラメータが推定された場合には、プロセッサ２０４は、一つ以上の信号線２１４を介してそれらを出力するように構成される。
【手続補正２５】
【補正対象書類名】明細書
【補正対象項目名】００５３
【補正方法】変更
【補正の内容】
【００５３】
ある実施例では、分析ロジック２１８および／またはプロセッサ２０４は、相関関数に関する推測的な知識に基づいて、第２のピークのサイドローブから一つ以上の第１のピークを識別するように構成されている。特に、独立した到着（図４に示すように）を表す相関関数の成分パルスの形状、振幅、または位相、あるいはこれらの組み合わせが知られており、この情報に応じて、分析ロジック２１８および／またはプロセッサ２０４は、一つ以上のパラメータを推定する。
【手続補正２６】
【補正対象書類名】明細書
【補正対象項目名】００６０
【補正方法】変更
【補正の内容】
【００６０】
この実行例における一例では、第１のピークのエネルギーＥ１が、第２のピークのエネルギーＥ２の第１の範囲Δ１内、例えば６ｄＢである場合には、第１のノイズフロア／閾値が適用される。また、第１のピークのエネルギーＥ１が、第２のピークのエネルギーＥ２の第２の範囲Δ２内、例えば９ｄＢである場合には、第２のより厳しいノイズフロア／閾値が適用される。この例では、（１）第１のピークのエネルギーＥ１が、第１のノイズフロアに等しいか、それを超える場合であって、Ｅ２のΔ１以内である場合、または、（２）第１のピークのエネルギーＥ１が、第２のノイズフロアに等しいか、それを超える場合であって、Ｅ２のΔ２以内である場合には、第１のピークは、第２のピークのサイドローブと識別可能であると考えられる。この例は、二つのノイズフロアを超えるものを含む状況に容易に拡張されうる。
【手続補正２７】
【補正対象書類名】明細書
【補正対象項目名】００６５
【補正方法】変更
【補正の内容】
【００６５】
ステップ５０６では、この方法は、一つ以上の第１のピークが、第２のピークの一つ以上のサイドローブと識別可能であるかを判定する。識別可能であると判定した場合には、一つ以上の第１のピークに対応して一つ以上のパラメータを推定することを含むステップ５０８に進む。識別可能ではないと判定した場合には、ステップ５１０に分岐する。ステップ５１０では、第２のピークに対応して、一つ以上のパラメータを推定する。
【手続補正２８】
【補正対象書類名】明細書
【補正対象項目名】００６９
【補正方法】変更
【補正の内容】
【００６９】
第２の実行例では、この方法は、積算時間Ｉと（Ｅ２−Ｅ１）（またはＥ２−Ｅ１の絶対値）の関数であるノイズフロアγを適用する。この実行例では、適用された閾値Ｔは、単なるノイズフロアである。この実行例における一例では、この方法は、第１のピークのエネルギーＥ１が、第２のピークのエネルギーＥ２の第１の範囲Δ１内、例えば６ｄＢである場合には、第１のノイズフロア／閾値を適用する。また、第１のピークのエネルギーＥ１が、第２のピークのエネルギーＥ２の第２のより緩慢な範囲Δ２内、例えば９ｄＢである場合には、第２のより厳しいノイズフロア／閾値を適用する。この例は、二つのノイズフロアを超えるものを含む状況に容易に拡張されうる。
【手続補正２９】
【補正対象書類名】明細書
【補正対象項目名】００７２
【補正方法】変更
【補正の内容】
【００７２】
ＣＤＭＡ無線通信システムのための改良型順方向リンク三辺測量（ＡＦＬＴ）の全体的なプロセスの文脈において、信号の一つ以上のパラメータを推定する方法の幾つかの例と実行例とが記載される。
【手続補正３０】
【補正対象書類名】明細書
【補正対象項目名】００７３
【補正方法】変更
【補正の内容】
【００７３】
図１１には、ＡＦＬＴプロセスの全体的なフローチャートが示されている。ステップ６０２では、ＡＦＬＴプロセスが初期化される。制御はステップ６０４に進み、ここでは加入者局が、動作中の基地局またはセクタ、つまり現在登録されている基地局またはセクタから、近辺の基地局またはセクタのリストを取得する。その後、ステップ６０６が実行される。ステップ６０６では、加入者局が、サーチサイクルを実行する。すなわち、（動作中の基地局またはセクタのパイロットと同様に）リストされた基地局またはセクタのためのパイロットのサーチを実行する。このサーチサイクルの出力は、サーチされたパイロットのリストであり、これら各パイロットについて、パイロットは検出不能であるという表示であるか、または、パイロットに関連する一つ以上のパラメータの推定かの何れかである。このパラメータは、これらに限定されるものではないが、到着時間（ＴＯＡ）や、自乗平均平方根誤差（ＲＭＳＥ）、合計受信電力で除されたチップ毎のエネルギー（ＥＣ／Ｉ０）、またはこれらの任意の組み合わせのようなＴＯＡ推定における信頼度レベルの測定値である。ステップ６０６の後は、ステップ６０８に進む。ステップ６０８では、このサーチサイクルの結果がデータベースに格納される。
【手続補正３１】
【補正対象書類名】明細書
【補正対象項目名】００８４
【補正方法】変更
【補正の内容】
【００８４】
ステップ７２２では、深いグループに追加された一つ以上のパイロットが、Ｓ２サーチパラメータを使ってサーチされる。すなわち、相関関数Ｆ（ＰＮ，ｓ）が、Ｓ２サーチパラメータによって明記された積算時間を使って、深いグループ内の一つ以上のパイロットに対して取得される。ある実行例では、このＳ２サーチパラメータは、２，０４８チップのコヒーレントな積算時間を明記し、また、１６のコヒーレントな積算が相関値を生成するために非コヒーレントに結合されると明記している（しかしながら、他の例もまた可能であるので、この例は限定的と解釈すべきではない。）。